(57)【要約】【課題】  本発明は、外観意匠が良好となる格子体を提供することにある。【解決手段】  桟１ａ，１ｂと付子と格子を備え、桟１ａ，１ｂは、一側側見付け壁１１に設けた内周側を向く一側側凹溝５と内周側に位置する内周側凹溝６を有しており、付子３は、桟の内周側凹溝６に収容してあると共に間隔をあけて複数の係止部７が設けてあり、格子２は、長手側端部の見込み方向中間部に桟１ａ，１ｂの一側側見付け壁１１を呑み込む溝部９を設け、一側側端部２ａと付子側端部２ｂを形成するものであり、格子２の付子側端部２ｂは、桟１ａ，１ｂの内周側凹溝６に入り込んで付子３の係止部７に係止することにより、格子２の一側側端部２ａが桟１ａ，１ｂの一側側見付け壁１１を覆うと共に、一側側端部２ａの先端１２が桟１ａ，１ｂの一側側凹溝５に呑み込まれることを特徴とする。【選択図】      図１（ａ）（ｂ）（ｃ）
2010222954.tif 000002
【特許請求の範囲】
【請求項１】
桟と付子と格子を備え、桟は、一側側見付け壁に設けた内周側を向く一側側凹溝と内周側に位置する内周側凹溝を有しており、付子は、桟の内周側凹溝に収容してあると共に間隔をあけて複数の係止部が設けてあり、格子は、長手側端部の見込み方向中間部に桟の一側側見付け壁を呑み込む溝部を設け、一側側端部と付子側端部を形成するものであり、格子の付子側端部は、桟の内周側凹溝に入り込んで付子の係止部に係止することにより、格子の一側側端部が桟の一側側見付け壁を覆うと共に、一側側端部の先端が桟の一側側凹溝に呑み込まれることを特徴とする格子体。
【請求項２】
桟と付子と格子を備え、桟は、一側側見付け壁に設けた内周側を向く一側側凹溝と内周側に位置する内周側凹溝と他側側見付け壁に設けた内周側を向く内周側凹溝を有しており、付子は、桟の内周側凹溝に収容してあると共に間隔をあけて複数の係止部が設けてあり、格子は、長手側端部の見込み方向中間部に桟の一側側見付け壁を呑み込む溝部と桟の他側側見付け壁を呑み込む溝部を設け、一側側端部と付子側端部と他側側端部を形成するものであり、格子の付子側端部は、桟の内周側凹溝に入り込んで付子の係止部に係止することにより、格子の一側側端部が桟の一側側見付け壁を覆うと共に一側側端部の先端が桟の一側側凹溝に呑み込まれ、格子の他側側端部が桟の他側側見付け壁を覆うと共に他側側端部の先端が桟の他側側凹溝に呑み込まれることを特徴とする格子体。
【請求項３】
桟と付子と格子を備え、桟は、一側側見付け壁に設けた内周側を向く一側側凹溝と、一側側見付け壁の内周側で且つ他側側に位置する他側側見付け壁とを有しており、付子は、桟の他側側見付け壁の一側側に取付けてあり、桟の一側側見付け壁と略面一な側壁部を有すると共に、間隔をあけて複数の係止部が設けてあり、格子は、長手側端部の見込み方向中間部に付子の側壁部を呑み込む溝部を設け、一側側端部と付子側端部を形成するものであり、格子の付子側端部は、桟の他側側見付け壁の一側側に入り込んで付子の係止部に係止することにより、格子の一側側端部が桟の一側側見付け壁と付子の側壁部を覆うと共に、一側側端部の先端が桟の一側側凹溝に呑み込まれることを特徴とする格子体。
【発明の詳細な説明】
【技術分野】
【０００１】
本発明は、おもにフェンスなどに使用される格子体に関するものである。
【背景技術】
【０００２】
格子をより長く見せる格子体として、実用新案登録第２５６６８９８号公報に開示されるものがある。この格子は、格子の長手側端部の一側端部に切欠が設けてあり、その切欠に桟の内周側を当接して固定具で固定することで、切欠により突出した格子長手側端部の他側端部で桟の見付け面が覆われる。これにより、格子を長く見せる格子体が形成されるものであった。
【先行技術文献】
【特許文献】
【０００３】
実用新案登録第２５６６８９８号公報
【発明の概要】
【発明が解決しようとする課題】
【０００４】
上記の格子は、格子を桟に取り付けるときに、格子の格子長手側端部を１本ずつ固定具で固定しており、上下桟から格子の取付具が突出して上下桟のラインが凹凸状となることから、意匠性を損なう問題点があった。本発明は、上記課題を鑑みてなされたものであり、外観意匠が良好となる格子体を提供することにある。
【課題を解決するための手段】
【０００５】
本発明のうち請求項１記載の発明は、桟と付子と格子を備え、桟は、一側側見付け壁に設けた内周側を向く一側側凹溝と内周側に位置する内周側凹溝を有しており、付子は、桟の内周側凹溝に収容してあると共に間隔をあけて複数の係止部が設けてあり、格子は、長手側端部の見込み方向中間部に桟の一側側見付け壁を呑み込む溝部を設け、一側側端部と付子側端部を形成するものであり、格子の付子側端部は、桟の内周側凹溝に入り込んで付子の係止部に係止することにより、格子の一側側端部が桟の一側側見付け壁を覆うと共に、一側側端部の先端が桟の一側側凹溝に呑み込まれることを特徴とする。
【０００６】
本発明のうち請求項２記載の発明は、桟と付子と格子を備え、桟は、一側側見付け壁に設けた内周側を向く一側側凹溝と内周側に位置する内周側凹溝と他側側見付け壁に設けた内周側を向く内周側凹溝を有しており、付子は、桟の内周側凹溝に収容してあると共に間隔をあけて複数の係止部が設けてあり、格子は、長手側端部の見込み方向中間部に桟の一側側見付け壁を呑み込む溝部と桟の他側側見付け壁を呑み込む溝部を設け、一側側端部と付子側端部と他側側端部を形成するものであり、格子の付子側端部は、桟の内周側凹溝に入り込んで付子の係止部に係止することにより、格子の一側側端部が桟の一側側見付け壁を覆うと共に一側側端部の先端が桟の一側側凹溝に呑み込まれ、格子の他側側端部が桟の他側側見付け壁を覆うと共に他側側端部の先端が桟の他側側凹溝に呑み込まれることを特徴とする。
【０００７】
本発明のうち請求項３記載の発明は、桟と付子と格子を備え、桟は、一側側見付け壁に設けた内周側を向く一側側凹溝と、一側側見付け壁の内周側で且つ他側側に位置する他側側見付け壁とを有しており、付子は、桟の他側側見付け壁の一側側に取付けてあり、桟の一側側見付け壁と略面一な側壁部を有すると共に、間隔をあけて複数の係止部が設けてあり、格子は、長手側端部の見込み方向中間部に付子の側壁部を呑み込む溝部を設け、一側側端部と付子側端部を形成するものであり、格子の付子側端部は、桟の他側側見付け壁の一側側に入り込んで付子の係止部に係止することにより、格子の一側側端部が桟の一側側見付け壁と付子の側壁部を覆うと共に、一側側端部の先端が桟の一側側凹溝に呑み込まれることを特徴とする。
【発明の効果】
【０００８】
本発明のうち請求項１記載の発明によれば、桟の内周側凹溝に収容された付子の係止部に格子の付子側端部を係止することにより、格子の先端が桟の内部に隠れて突出しないので、桟の長手方向に直線的に連続したラインが形成されると共に、桟の一側側凹溝に格子の一側側端部の先端を呑み込ませることで、格子の一側側端部が桟の一側側見付け壁を覆って格子を長く見せることができ、これにより、統一感のある外観意匠の好適な格子が組み立てられる。また、従来のように、桟に１本ずつ固定具を用いて格子を固定する手間がかからず組み立てが容易であるとともに、部品点数も少なくなるので種々のコストを抑えることができる。
【０００９】
本発明のうち請求項２記載の発明によれば、桟の一側側見付け壁に一側側凹溝を、他側見付け壁に他側側凹溝を設け、さらに、格子の付子側端部の一側に上記一側側凹溝に呑み込まれる一側側端部を、他側に上記他側側凹溝に呑み込まれる他側側端部を設けることで、
格子が桟の一側側見付け壁と他側側見付け壁の両方を覆うことができる。これにより、一側と他側の両面で意匠性を求められる種のフェンスなどにも使用できるので、より多くの製品に対応する格子体を提供できる。
【００１０】
本発明のうち請求項３記載の発明によれば、桟の他側側見付け壁の一側側に取付けた付子の係止部に格子の付子側端部を係止することにより、格子の先端が桟の内部に隠れて突出しないので、桟の長手方向に直線的に連続したラインが形成されると共に、付子の側壁部が桟の一側側見付け壁と略面一となるため、統一感のある外観意匠の好適な格子が組み立てられる。また、付子の側壁部が桟の一側側見付け壁の一部を構成することから、上桟の見込み寸法を小さくできる。
【図面の簡単な説明】
【００１１】
【図１（ａ）（ｂ）（ｃ）】（ａ）は、本発明の格子体の第一実施形態を示す縦断面図であり、（ｂ）は、一部を拡大した縦断面図であり、（ｃ）は、付子の縦断面図である。
【図２（ａ）（ｂ）】（ａ）は、本実施による格子体の全体を示す正面図であり、（ｂ）は、一部を拡大した横断面図である。
【図３（ａ）（ｂ）】（ａ）は、本実施による格子体の組み立ての状態を示す正面図であり、（ｂ）は、縦断面図である。
【図４】本発明の格子体の第二実施形態を示す縦断面図である。
【図５】本発明の格子体の第三実施形態を示す縦断面図である。
【発明を実施するための形態】
【００１２】
以下に、図面に基づいて本発明の格子体の第一実施形態を説明する。
本実施による格子体は、図２（ａ）のように、上下の桟１ａ，１ｂの間に左右に間隔をあけて複数の縦格子（以下、格子と記す。）２を配置したものであり、支柱１０に取り付けてある。また、図２（ａ）のように、桟１ａ，１ｂと格子２との固定については、桟１ａ，１ｂの内周側の内周側凹溝６内に取り付けてある付子３に係止してある。
【００１３】
ここでは図１（ｂ）に基づいて上桟（桟）１ａのみを説明するが、上桟１ａは、一側側見付け壁１１の外周側から一側側に突出して溝開口が内周側を向く断面ほぼコ字型をなす一側側凹溝５を有し、また、上桟１ａにおける一側側凹溝５の他側には、溝開口が内周側を向く断面ほぼコ字型をなす内周側凹溝６を有しており、内周側凹溝６の上側に一側側凹溝５が位置している。付子３は、図１（ｃ）のように、上桟１ａの内周側凹溝６内に挿入してあり、上壁部３ａと、上壁部３ａの他側端から下方に伸びる側壁部３ｂと、側壁部３ｂの下端から一側に伸びる下壁部３ｃとから断面ほぼコ字型をなしている。このうち下壁部３ｃには、付子３の長手方向に沿って複数の係止部７が設けてある。そして係止部７は、具体的に、図２（ｂ）のように、付子３を構成する下壁部３ｃにほぼ矩形状をなす切欠が断続的に設けられており、付子３が鋸歯状に形成される。また、付子３は、桟１ａの内周側凹溝６内にネジ８ｂでネジ止めしてあると共に、上桟１ａの一側側見付け壁１１と他側側見付け壁１３ですっぽりと覆われる状態となっているので、外部からは見えない構造となる。格子２は、上下に長い断面ほぼ矩形状をなすものであり、格子２の見込み方向のほぼ中間部に溝部９が設けてあり、これによって、溝部９を挟んだ一側に一側側端部２ａを形成すると共に、他側には付子側端部２ｂを形成し、一側側端部２ａは付子側端部２ｂよりも上方に長く形成してある。
【００１４】
本実施による格子体を組み立てるときに、図３（ａ）（ｂ）を参照すれば、付子３を桟１ａの内周側凹溝６内に挿入して桟１ａの上側からネジ８ａでネジ止めし、さらに、格子２の付子側端部２ｂを上桟１ａの内周側凹溝６内に差し込んで付子３の係止部７に係止すると共に、格子２の一側側端部２ａの先端１２を上桟１ａの一側側凹溝５に呑み込ませる。そして、上記の工程を付子３に設けてある係止部７のすべてに対して行ない、桟１ａの上側から付子３と共に格子２をネジ８ｂでネジ止めすることで、本実施による格子体が組み立てられる。また、ここでは上側の桟１ａについて記載したが、格子２を下桟（桟）１ａに係止するときも、格子２の長手側下端部の付子側端部２ｂを下桟１ｂの内周側凹溝６に取り付けてある付子３の係止部７に係止し、さらに、格子２の長手側下端部の一側側端部２ａを下桟１ｂの一側側凹溝５に呑み込ませることで、上桟１ａと同様の工程で施工することができる。以上のように形成すると、格子２の一側側端部２ａによって上桟１ａおよび下桟１ｂの一側側見付け壁１１の外周部が覆われることで、格子体を一側から眺めたときに格子２が視覚的に上下に長く見えるようになる。尚、桟１ａ，１ｂと付子３のネジ止めについては、図３（ａ）のように、すべての格子２をネジ８ｂでネジ止めするものではない。これは、付子３が桟１ａ，１ｂのほぼ全長に渡って連続するものであるから、付子３に係止するすべての格子２をネジ止めしなくても充分な固定状態となる。
【００１５】
本発明の格子体の第二実施形態としては、図４に示すように、上桟１ａおよび下桟１ｂの一側側見付け壁１１の外周側に一側側凹溝５を設け、また、他側側見付け壁１３の外周側に他側側凹溝１４を設け、さらに、格子２に付子側端部２ｂを挟んで一側側端部２ａと他側側端部２ｃを設けている。このように形成すると、桟１ａ，１ｂの一側側見付け壁１１と他側側見付け壁１３の外周側を格子２で覆うことになるので、例えば、間仕切りのような一側側と他側側の両面に意匠性を要求されるものであっても格子２を長く見せることができる。
【００１６】
本発明の第三実施形態として、図５に示すように、ここでは上桟１ａのみを説明するが、上桟１ａの一側側見付け壁１１の外周側に一側側凹溝５を設け、また、上桟１ａの内周側の他側側には、他側側見付け壁１３が設けてあり、さらに、他側側見付け壁１３の他側には、溝開口が他側を向く他側側ネジ溝２１を有している。また、付子１９は、上桟１ａの一側側見付け壁１１に沿う側壁部１９ａと、側壁部１９ａの上部から他側に伸びる上壁部１９ｂと、側壁部１９ａの下端から他側に伸びると共に付子１９の長手方向に沿って複数の係止部２０を有する下壁部１９ｃとからなっている。このうち側壁部１９ａの上端と下壁部１９ｃの他側には係合部１７ａ，１７ｂが設けてあり、また、上桟１ａの一側側見付け壁１１下端部と他側側見付け壁１３下端部の一側側には被係合部１８ａ，１８ｂが設けてあり、係合部１７ａ，１７ｂと被係合部１８ａ，１８ｂを係合して付子１９を上桟１ａの他側側見付け壁１３の一側側１６に取付けることで、付子１９の側壁部１９ａが上桟１ａの一側側見付け壁１１の一部をなし、これにより、上桟１ａの見込み寸法を小さくできる。さらに、上桟１ａの一側側見付け壁１１と付子１９の側壁部１９ａが略面一になると共に、付子１９の下壁部１９ｃによって上桟１ａの内周側も略面一に形成され、これにより、意匠性の良好な格子体を形成できる。また、本実施による格子２は、上記第一実施形態と同一構成のものであり、上記実施形態同様に、格子２の付子側端部２ｂを付子１９の係止部７に係止するものであるが、相違する構成としては、格子２の溝部９で付子１９の側壁部１９ａを挟んで取り付けてあると共に、他側側見付け壁１３を一側と他側に挿通する挿通孔２３が設けてあり、挿通孔２３に他側からネジ２４を挿通することで、格子２の付子側端部２ｂを上桟１ａにネジ２７でネジ止めしている。さらに、他側側ネジ溝２１の溝開口には被嵌合部２５ａ，２５ｂが設けてあり、他側側ネジ溝２１を隠蔽するカバー材２６が嵌合してある。これにより、上桟１ａの一側側見付け壁１１と他側側見付け面２２および上桟１ａの内周側が各々略面一となる。また、上桟１ａと支柱１０の取り付けについては、上桟１ａと支柱１０の上端部に、断面下向き略コ字形をなす固定金具２８を上から被せるように嵌合し、固定金具２８の他側片に他側からネジ２９を挿通してネジ止めすることにより、上桟１ａと支柱１０を強固に固定できる。このようにすると、上桟１ａと支柱１０の対向箇所に固定金具２８を係止するための係止溝を設ける必要がなくなり、上桟１ａの見込み寸法が小さくなると共に、上桟１ａおよび支柱１０の構造がシンプルになり、さらに、上桟１ａと支柱１０の取り付けも容易になる。尚、付子１９の下壁部１９ｃとカバー材２６は、上記実施形態のように、上桟１ａの他側側見付け壁１３の一側側１６もしくは他側側ネジ溝２１に取付けたとき、かならずしも略面一状とならなくてもよい。また、詳細説明は省いたが、下桟１ｂについても、上桟１ａ同様に、付子１９とカバー材２６を取り付けることにより、下桟１ｂの一側側見付け壁１１と他側側見付け面２２および下桟１ｂの内周側が各々略面一となる。また、付子１９の他側側に位置する他側側見付け壁１３は、他側側ネジ溝２１およびカバー材２６のない実施形態であれば、上桟１ａあるいは下桟１ｂの他側側見付け面２２と略面一となる。
【００１７】
また、格子２の幅については、上記実施形態のものよりも幅広のものや、あるいは、幅の細いものであってもよく、これに対応して付子３，１９の係止部７の大きさや間隔も自在に設定できる。また、一側側端部２ａおよび他側側端部２ｃと付子側端部２ｂの長さの違いについては特に限定するものではないが、付子側端部２ｂを一側側端部２ａあるいは他側側端部２ｃよりも短く形成すれば、桟１ａ，１ｂの見付け面に対して内周側凹溝６を浅く形成できるため上下の桟１ａ，１ｂの強度が高まるとともに、桟１ａ，１ｂ同士や桟１ａ，１ｂと支柱１０との連結スペースも確保される。そして、桟１ａ，１ｂの一側側凹溝５と他側側凹溝１４を設ける位置は、桟１ａ，１ｂの外周側端部に限定されずに内周側端部との中間位置に設けてもよく、その位置は適宜設定できる。
【符号の説明】
【００１８】
１ａ  上桟（桟）
１ｂ  下桟（桟）
２  格子
２ａ  一側側端部
２ｂ  付子側端部
３，１９  付子
５  一側側凹溝
６  内周側凹溝
７，２０  係止部
９  溝部
１１  一側側見付け壁
１２，１５  先端
１３  他側側見付け壁
１４  他側側凹溝
１６  他側側見付け壁の一側側
１９ａ  側壁部
【図１（ａ）（ｂ）（ｃ）】
2010222954.tif 000003
【図２（ａ）（ｂ）】
2010222954.tif 000004
【図３（ａ）（ｂ）】
2010222954.tif 000005
【図４】
2010222954.tif 000006
【図５】
2010222954.tif 000007